(57)【要約】パケットデータの伝送のための移動通信システムにおける逆方向データ伝送率制御方法を提供する。本発明の実施形態において、ＲＲＬ（Ｒｅｖｅｒｓｅ Ｒａｔｅ Ｌｉｍｉｔ）メッセージは、特定のアクセス端末に対する所定のデータ伝送率を保障するために、ＲＡＢ（Ｒｅｖｅｒｓｅ Ａｃｔｉｖｉｔｙ Ｂｉｔ）無視フィールドを含む。本発明の他の実施形態において、アクセス確率は、ＲＲＬメッセージにおいてそれぞれのデータ伝送率に対して設定される。ＡＴは、ＲＡＢを受信すると、乱数とデータ伝送率に対するアクセス確率とを比較し、比較の結果によってデータ伝送率を増加または減少させる。
2004502330.tif 000002
【特許請求の範囲】
【請求項１】
アクセスネットワーク（ＡＮ）とアクセス端末（ＡＴ）との間のデータ伝送システムにおける逆方向データ伝送率制御方法において、
前記ＡＮに初期逆方向データ伝送率でデータを伝送する過程と、
前記ＡＮから少なくとも１つのＡＴに、前記ＡＴが前記逆方向データ伝送率を変更しないことを示す逆方向活性化ビット（ＲＡＢ）無視情報を含むメッセージを受信する過程と、
前記ＡＮから前記逆方向データ伝送率の増加または減少を示すＲＡＢを受信する過程と、
前記ＲＡＢ無視情報が受信された前記少なくとも１つのＡＴにおいて前記ＲＡＢを無視する過程と、
からなることを特徴とする方法。
【請求項２】
前記ＲＡＢ無視情報は、ＲＲＬ（Ｒｅｖｅｒｓｅ Ｒａｔｅ Ｌｉｍｉｔ）メッセージに含まれることを特徴とする請求項１記載の方法。
【請求項３】
移動通信システムのＡＴにおける逆方向データ伝送率制御方法において、
初期値で逆方向リンクを形成し、順方向リンクを通してＲＲＬメッセージを受信し、前記ＲＲＬメッセージに含まれた前記ＲＡＢ無視フィールドの値を貯蔵する過程と、
現在のデータ伝送率と前記ＲＲＬメッセージに設定されたデータ伝送率とを比較して逆方向データ伝送率を決定し、前記決定された逆方向データ伝送率でパケットデータを伝送する過程と、
前記順方向リンクを通してＲＡＢを受信すると、前記ＲＡＢ無視フィールドの値によって前記逆方向データ伝送率を変更する過程と、
からなることを特徴とする方法。
【請求項４】
前記逆方向データ伝送率の減少が要求され、かつ、前記ＲＡＢ無視フィールドが前記ＲＡＢの無視を示す場合、前記逆方向データ伝送率の減少は遂行されないことを特徴とする請求項３記載の方法。
【請求項５】
前記逆方向データ伝送率の減少が要求され、かつ、前記ＲＡＢ無視フィールドが前記ＲＡＢの無視を示さない場合、前記逆方向データ伝送率が最低のデータ伝送率でない時に前記逆方向データ伝送率が減少されることを特徴とする請求項４記載の方法。
【請求項６】
移動通信システムのＡＮにおける逆方向データ伝送率制御方法において、
ＡＴに対する初期化状態においてＡＴまたはサービスの特性を分析し、順方向ＭＡＣ（Ｍｅｄｉｕｍ Ａｃｃｅｓｓ Ｃｏｎｔｒｏｌ）チャネルを通して前記ＡＴに対するＭＡＣｉｎｄｅｘを設定する過程と、
前記ＡＴまたはサービスの特性によって所定の伝送率が維持されるべきである場合、ＲＡＢ無視フィールドを設定する過程と、
前記ＲＡＢ無視フィールドを伴うＲＲＬメッセージを組み立て、前記ＲＲＬメッセージを前記ＡＴに送信する過程と、
からなることを特徴とする方法。
【請求項７】
前記ＡＴが上級のＡＴまたは緊急のＡＴのいずれか１つである場合、前記ＲＡＢ無視フィールドを設定することを特徴とする請求項６記載の方法。
【請求項８】
前記サービスが高品質のデータサービスまたは実時間のデータサービスのいずれか１つである場合、前記ＲＡＢ無視フィールドを設定することを特徴とする請求項６記載の方法。
【請求項９】
ＡＮとＡＴとの間のデータ伝送システムで、複数のＡＴにおける逆方向データ伝送率制御方法において、
逆方向データ伝送率でデータを前記ＡＴに伝送する間に、前記ＡＮから前記逆方向データ伝送率の増加または減少を示すＲＡＢを受信する過程と、
前記逆方向データ伝送率に対応するアクセス確率と前記ＡＴで発生する乱数とを比較する過程と、
前記比較の結果によって、前記それぞれのＡＴに対する前記逆方向データ伝送率を増加させて決定し、前記決定された増加されたデータ伝送率でデータを伝送する過程と、
からなることを特徴とする方法。
【請求項１０】
前記ＡＴは、順方向リンクを通して前記ＲＲＬメッセージによって、個々の逆方向データ伝送率に対する相違するアクセス確率を受信することを特徴とする請求項９記載の方法。
【請求項１１】
前記ＡＴは、個々の逆方向データ伝送率に対する相違するアクセス確率を初期値として設定することを特徴とする請求項９記載の方法。
【請求項１２】
前記データ伝送率の決定は、前記ＡＴの電力限界内で選択されることを特徴とする請求項９記載の方法。
【請求項１３】
移動通信システムにおけるＡＴの逆方向データ伝送率制御方法において、
初期値で逆方向リンクを形成し、順方向リンクを通してＲＲＬメッセージを受信し、データ伝送率に対するアクセス確率を貯蔵する過程と、
現在のデータ伝送率と前記ＲＲＬメッセージ内のデータ伝送率とを比較して逆方向データ伝送率を決定し、前記決定された逆方向データ伝送率でパケットデータを伝送する過程と、
前記順方向リンクを通してＲＡＢを受信すると、前記受信されたデータ伝送率に基づいた前記アクセス確率によって前記逆方向データ伝送率を変更する過程と、
からなることを特徴とする方法。
【請求項１４】
前記逆方向データ伝送率の減少が要求される場合、乱数を発生して、前記乱数を前記現在のデータ伝送率に対する前記アクセス確率と比較し、前記比較結果が減少の条件を満足すると、前記現在のデータ伝送率を減少させることを特徴とする請求項１３記載の方法。
【請求項１５】
前記逆方向データ伝送率の減少が要求される場合、乱数を発生して、前記乱数を前記現在のデータ伝送率に対する前記アクセス確率と比較し、前記比較結果が減少の条件を満足しないと、前記現在のデータ伝送率を維持することを特徴とする請求項１４記載の方法。
【請求項１６】
前記逆方向データ伝送率の増加が要求される場合、前記ＲＲＬメッセージに設定されたデータ伝送率以下で前記現在のデータ伝送率より高いデータ伝送率を選択して、前記選択されたデータ伝送率を前記乱数と比較し、前記比較の結果が増加の条件を満足すると、前記現在のデータ伝送率を前記選択されたデータ伝送率に増加させることを特徴とする請求項１３記載の方法。
【請求項１７】
前記現在のデータ伝送率が前記ＲＲＬメッセージに設定されたデータ伝送率である場合、前記乱数を前記アクセス確率と比較しないことを特徴とする請求項１６記載の方法。
【請求項１８】
前記逆方向データ伝送率の増加が要求される場合、前記ＲＲＬメッセージに設定された前記データ伝送率から降順に前記現在のデータ伝送率より高いデータ伝送率を順次に選択し、それぞれ選択されたデータ伝送率に対する乱数を発生して、前記選択されたデータ伝送率のアクセス確率を前記乱数と比較し、前記比較の結果が増加の条件を満足すると、前記現在のデータ伝送率を前記選択されたデータ伝送率に増加させることを特徴とする請求項１３記載の方法。
【請求項１９】
パケットデータを伝送する移動通信システムにおける逆方向データ伝送率制御方法において、
ＡＴに対する初期状態におけるＡＴまたはサービスの特性を分析し、順方向ＭＡＣチャネルを通して前記ＡＴに対するＭＡＣｉｎｄｅｘを設定する過程と、
前記ＡＴの種類または前記サービスの特性によって各データ伝送率に対するアクセス確率を生成する過程と、
前記アクセス確率を伴うＲＲＬメッセージを組み立て、前記ＲＲＬメッセージを前記ＡＴに送信する過程と、
からなることを特徴とする方法。
【請求項２０】
前記ＡＴが上級のＡＴまたは緊急のＡＴのいずれか１つである場合、高速データ伝送率に対して高速のアクセス確率を設定することを特徴とする請求項１９記載の方法。
【請求項２１】
前記サービスが高品質のデータサービスまたは実時間のデータサービスのいずれか１つである場合、高速データ伝送率に対して高速のアクセス確率を設定することを特徴とする請求項２１記載の方法。
【請求項２２】
それぞれのデータ伝送率に対する前記アクセス確率は、共通チャネルを通して同報通信されることを特徴とする請求項１９記載の方法。
【請求項２３】
それぞれのデータ伝送率に対する前記アクセス確率は、トラヒックチャネルを通して各端末に伝送されることを特徴とする請求項１９記載の方法。
【請求項２４】
移動通信システムで逆方向パケットデータを送信するＡＴ装置において、前記ＡＴ装置で前記逆方向パケットデータを送信する時に遂行される制御過程は、
初期値で逆方向リンクを形成し、順方向リンクを通してＲＲＬメッセージを受信し、ＲＡＢ無視フィールドを分析し、前記ＲＡＢ無視フィールドの値を貯蔵する過程と、
現在データ伝送率と前記ＲＲＬメッセージに設定されたデータ伝送率とを比較して逆方向データ伝送率を決定し、前記決定された逆方向データ伝送率でパケットデータを伝送する過程と、
前記順方向リンクを通してＲＡＢを受信すると、前記ＲＡＢ無視フィールドの値によって前記逆方向データ伝送率を変更する過程と、
からなることを特徴とする装置。
【請求項２５】
移動通信システムで逆方向パケットデータを送信するＡＮ装置において、前記ＡＮ装置で前記逆方向パケットデータを送信する時に遂行される制御過程は、
前記ＡＴに対する初期状態においてＡＴまたはサービスの特性を分析し、順方向ＭＡＣチャネルを通して前記ＡＴに対するＭＡＣｉｎｄｅｘを設定する過程と、
前記ＡＴまたは前記サービスの特性によって所定のデータ伝送率を維持すべきである場合、ＲＡＢ無視フィールドを設定する過程と、
前記ＲＡＢ無視フィールドを伴うＲＲＬメッセージを組み立て、前記ＲＲＬメッセージを前記ＡＴに送信する過程と、
からなることを特徴とする装置。
【請求項２６】
移動通信システムで逆方向パケットデータを送信するＡＴ装置において、前記ＡＴ装置で前記逆方向パケットデータを送信する時に遂行される制御過程は、
初期値で逆方向リンクを形成し、順方向リンクを通してＲＲＬメッセージを受信し、データ伝送率に対するアクセス確率を貯蔵する過程と、
現在のデータ伝送率と前記ＲＲＬメッセージに設定されたデータ伝送率とを比較して逆方向データ伝送率を決定し、前記決定された逆方向データ伝送率でパケットデータを伝送する過程と、
前記順方向リンクを通してＲＡＢを受信すると、前記アクセス確率によって前記逆方向データ伝送率を変更する過程と、
からなることを特徴とする装置。
【請求項２７】
移動通信システムで逆方向パケットデータを送信するＡＮ装置において、前記ＡＮ装置で前記逆方向パケットデータを送信する時に遂行される制御過程は、
前記ＡＴに対する初期状態におけるＡＴの種類及びサービスの特性を分析し、順方向ＭＡＣチャネルを通して前記ＡＴに対するＭＡＣｉｎｄｅｘを設定する 過程と、
前記ＡＴまたはサービスの特性によって、それぞれのデータ伝送率に対するアクセス確率を生成する過程と、
前記アクセス確率を伴うＲＲＬメッセージを組み立て、前記ＲＲＬメッセージを前記ＡＴに送信する過程と、
からなることを特徴とする装置。
【発明の詳細な説明】
【０００１】
【発明の属する技術分野】
本発明は、移動通信システムにおけるデータ伝送方法に関し、特に、移動通信システムにおける逆方向データ伝送方法に関する。
【０００２】
【従来の技術】
通常に、高速データ伝送（Ｈｉｇｈ Ｄａｔａ Ｒａｔｅ： 以下、ＨＤＲと称する）移動通信システムは、パケットデータの伝送専用の符号分割多重接続（Ｃｏｄｅ ｄｉｖｉｓｉｏｎ Ｍｕｌｔｉｐｌｅ Ａｃｃｅｓｓ： 以下、ＣＤＭＡと称する）システムである。順方向リンク及び逆方向リンクを通してパケットデータを効率的に伝送するためには、適切なスケジューリングがなされるべきである。
【０００３】
順方向リンクにおいて、アクセスネットワーク（Ａｃｃｅｓｓ Ｎｅｔｗｏｒｋ： 以下、ＡＮと称する）は、エア状態（ａｉｒ ｓｔａｔｅ）及び他のチャネル環境を考慮して、最高のチャネル状態を示す特定のアクセス端末（Ａｃｃｅｓｓ Ｔｅｒｍｉｎａｌ： 以下、ＡＴと称する）にデータを伝送し、これによって、前記ＡＴのデータ伝送効率（ｔｈｒｏｕｇｈｐｕｔ）が最大化する。一方、逆方向リンクにおいては、複数のＡＴが前記ＡＮに同時にアクセスする。従って、前記ＡＮは、渋滞を防止するために、前記ＡＴからのデータの流れを制御し、ＡＮの容量内でオーバーヘッド（ｏｖｅｒｈｅａｄ）を制御する。
【０００４】
既存の高速データ伝送システムにおいて、逆方向データ伝送は、ＡＮから伝送される逆方向活性化ビット（Ｒｅｖｅｒｓｅ Ａｃｔｉｖｉｔｙ Ｂｉｔ： 以下、ＲＡＢと称する）及びＲＲＬ（ＲｅｖｅｒｓｅＲａｔｅＬｉｍｉｔ）メッセージを使用して制御される。順方向ＭＡＣ（Ｍｅｄｉｕｍ Ａｃｃｅｓｓ Ｃｏｎｔｒｏｌ）チャネルは、パイロットチャネル（Ｐｉｌｏｔ ｃｈａｎｎｅｌ）、ＦＡＢ（Ｆｏｒｗａｒｄ Ａｃｔｉｖｉｔｙ Ｂｉｔ）、及びＲＡＢと共に時分割多重化されてＡＴに伝送される。前記ＲＡＢは、前記逆方向リンクの混雑度を示し、前記ＲＡＢによって前記ＡＴにて伝送できるデータ伝送率が変化する。つまり、前記ＡＮは、前記逆方向リンクにおけるオーバーヘッド及び容量の制御の時、前記ＲＡＢを利用して前記ＡＴのデータ伝送率を増加または減少させる。しかしながら、前記ＲＡＢは同報通信されるので、前記ＲＡＢを受信する全てのＡＴは、前記ＲＡＢによって、一律的にそのデータ伝送率を２倍に増加させるか、半分に減少させる。前記ＲＡＢは、表１に示すように、伝送の間に繰り返されて発生する。ＲＡＢｌｅｎｇｔｈ長が“００”、つまり、８スロットである場合、前記同一のＲＡＢは、８スロットの間に繰り返されて発生する。前記ＲＡＢが長くなるほど、前記同一のＲＡＢが持続される区間が増加する。つまり、前記逆方向リンクのデータ伝送率はよりゆっくり変更される。
【表１】
2004502330.tif 000003
【０００５】
ＲＡＢを使用する逆方向データ伝送率制御方法は、前記システムの観点では、単純に帯域の管理を提供するが、ＡＴの観点では、動的なデータ伝送率を保障することができず、データ伝送の品質に深刻な影響を及ぼす。
例えば、上級のＡＴ（Ｐｒｅｍｉｕｍ ＡＴ）及び緊急のＡＴ（Ｅｍｅｒｇｅｎｃｙ ＡＴ）のようなＡＴの特性、及び高品質のデータ伝送及び実時間のデータ伝送のようなデータの特性は、データ伝送率の決定において考慮されない。
【０００６】
図１は、ＨＤＲシステムのＡＴにおける従来のデータ伝送率決定動作を示すフローチャートである。
一般的に、ＡＴは、ＲＲＩ（Ｒｅｖｅｒｓｅ Ｒａｔｅ Ｉｎｄｉｃａｔｏｒ）によって前記逆方向リンク上の現在のデータ伝送率をＡＮに知らせる。前記逆方向データ伝送率は、４．８、９．６、１９．２、３８．４、７６．８、または１５３．６ｋｂｐｓのいずれか１つである。
【０００７】
前記ＡＴは、最初のアクセスの時、段階１００で、９．６ｋｂｐｓのデフォールトデータ伝送率（ｄｅｆａｕｌｔ ｄａｔａ ｒａｔｅ）でパケットデータをプリアンブル（ｐｒｅａｍｂｌｅ）と共に伝送する。段階１０２で、ＲＲＬメッセージを受信すると、前記ＡＴは、段階１０４で、前記現在のデータ伝送率と前記ＲＲＬメッセージに設定されたデータ伝送率とを比較する。前記現在のデータ伝送率が前記ＲＲＬメッセージのデータ伝送率より小さい場合、前記ＡＴは、段階１０６で、３２スロット（５３．５ｍｓ）を待機し、段階１０８で、前記ＲＲＬメッセージに基づいて前記逆方向データ伝送率を再設定する。
【０００８】
一方、前記現在のデータ伝送率が前記ＲＲＬメッセージのデータ伝送率より大きい場合、前記ＡＴは、段階１１０で、前記ＲＲＬメッセージに基づいて前記逆方向データ伝送率を再設定する。前記ＡＴが前記逆方向データ伝送率を再設定するために、前記ＡＮは、表２に示すようなＲＲＬメッセージを伝送する。
【表２】
2004502330.tif 000004
【０００９】
前記ＲＲＬメッセージには、２９個のレコードが挿入されることができ、それぞれのレコードは、対応するＭＡＣｉｎｄｅｘに割り当てられるデータ伝送率を示す。ＭＡＣｉｎｄｅｘには、３から３２まで番号が付加される。“Ｍｅｓｓａｇｅ ＩＤ”は、前記ＲＲＬメッセージのＩＤを示し、“ＲａｔｅＬｉｍｉｔＩｎｃｌｕｄｅｄ”は、“ＲａｔｅＬｉｍｉｔ”フィールドが含まれるか否かを示す。“ＲａｔｅＬｉｍｉｔＩｎｃｌｕｄｅｄ”が０である場合は、“ＲａｔｅＬｉｍｉｔ”が省略されていることを示し、“ＲａｔｅＬｉｍｉｔＩｎｃｌｕｄｅｄ”が１である場合は、“ＲａｔｅＬｉｍｉｔ”が含まれていることを示す。“ＲａｔｅＬｉｍｉｔ”は、ＡＴに割り当てられるデータ伝送率を示す。前記ＡＮは、４ビットを利用して下記の逆方向データ伝送率をＡＴに割り当てることができる。
０ｘ０      ４．８ ｋｂｐｓ
０ｘ１      ９．６ ｋｂｐｓ
０ｘ２      １９．２ ｋｂｐｓ
０ｘ３      ３８．４ ｋｂｐｓ
０ｘ４      ７６．８ ｋｂｐｓ
０ｘ５      １５３．６ ｋｂｐｓ
他の全ての値は、無効である。
【００１０】
段階１１２で、前記ＡＴは、再設定されたデータ伝送率でパケットデータを送信する。前記ＡＴは、段階１１４で、逆方向データを伝送する間に、順方向ＭＡＣチャネルを、特に、ＡＮから伝送される順方向ＭＡＣチャネル上のＲＡＢを監視する。
【００１１】
図２は、アクティブセット（ａｃｔｉｖｅ ｓｅｔ）内のＨＤＲセクタとＡＴとの間の動作を示す図である。図２に示すように、前記ＡＴと前記ＡＴに連結されたセクタ１との間には、順方向トラヒックチャネル、逆方向トラヒックチャネル、順方向ＭＡＣチャネル、及び逆方向ＭＡＣチャネルが割り当てられる。一方、前記ＡＴと前記ＡＴに連結されていないセクタ２乃至６には、順方向トラヒックチャネルが割り当てられない。前記ＡＴは、アクティブセット内に６個までのセクタを有することができ、前記アクティブセット内の全てのセクタからの順方向ＭＡＣチャネル上のＲＡＢを監視して逆方向データ伝送率を決定する。従って、セクタからＲＡＢを受信する全てのＡＴは、一律的にデータ伝送率を増加または減少させる。
【００１２】
図１を参照すると、前記ＡＴは、段階１１６で、少なくとも１つのＲＡＢが１に設定されているか否かを検査する。少なくとも１つのＲＡＢが１に設定されている場合、前記ＡＴは、段階１２６で、前記現在のデータ伝送率が１９．２ｋｂｐｓであるか、それより大きいかを検査する。前記現在のデータ伝送率が１９．２ｋｂｐｓであるか、それより大きい場合、前記ＡＴは、前記データ伝送率を半分に減少させる。一方、前記現在のデータ伝送率が１９．２ｋｂｐｓより小さい場合、前記ＡＴは、段階１２８で、前記データ伝送率を維持する。
【００１３】
段階１１６で、前記アクティブセットのセクタから受信された前記ＲＡＢが０に設定される場合、前記ＡＴは、段階１１８で、前記現在の伝送が初期アクセスであるか否かを検査する。前記初期アクセスである場合、前記ＡＴは、段階１００で、初期データ伝送率を適用する。一方、前記ＡＴは、段階１２０で、前記現在のデータ伝送率が最大の伝送率である１５３．６ｋｂｐｓであるか否かを検査する。最大のデータ伝送率である場合、前記ＡＴは、段階１２２で、前記現在のデータ伝送率を維持し、そうでない場合は、段階１２４で、前記現在のデータ伝送率を２倍にして、段階１３２で、前記２倍になったデータ伝送率でパケットデータを送信する。ここで、前記ＡＴは、電力限界内にあると、前記現在のデータ伝送率を維持する。
【００１４】
前記ＲＡＢは、ＦＡＢと共に時分割多重化（Ｔｉｍｅ ｍｕｌｔｉｐｌｅｘｉｎｇ）されて共通チャネル（ｃｏｍｍｏｎ ｃｈａｎｎｅｌ）である順方向ＭＡＣチャネルを通して伝送されるので、前記ＲＡＢを受信するＡＴは、一律的にデータ伝送率を増加または減少させる。
【００１５】
前記ＨＤＲシステムにおける従来の逆方向データ伝送率制御方法は、帯域幅制御及びオーバーヘッド制御はできるが、ＡＴ及びパケットデータを考慮しない一括的な制御のため、データ伝送品質を保障することができない。従って、ＡＴに対する個々の逆方向データ伝送率制御が必要であり、前記個々のデータ伝送率制御に基づいて帯域幅及びオーバーヘッドの制御を遂行する必要がある。
【００１６】
前記既存のＨＤＲシステムにおいて、ＡＴが前記アクティブセット内の少なくとも１つのＡＮから順方向ＭＡＣチャネルを通してＲＡＢ＝１の情報を受信する場合、前記逆方向データ伝送率が１９．２ｋｂｐｓ以下でない時は、データ伝送率を半分に減少させる。逆に、前記アクティブセット内の全てのＡＮがＲＡＢ＝０の情報を伝送すると、前記ＡＴは、前記データ伝送率を２倍に増加させる。前記２倍のデータ伝送率をさらに２倍に増加させるために、前記ＡＴは、前記アクティブセット内の全てのＡＮからＲＡＢ＝０である順方向ＭＡＣチャネルを受信すべきである。従って、前記逆方向データ伝送率は単調に増加する。前記ＡＴが実時間の伝送または高品質の伝送を要求するパケットを伝送する時、ＡＮは、逆方向余裕帯域で前記現在のデータ伝送率より２倍以上大きいデータ伝送率を前記ＡＴに許容すべきである。言い換えると、前記逆方向データ伝送率制御は、個々のＡＴ単位で遂行されるべきである。
【００１７】
【発明が解決しようとする課題】
従って、本発明の目的は、ＨＤＲシステムにおいて効率的な逆方向パケットデータ伝送方法を提供することにある。
本発明の他の目的は、個々のＡＴの特性によってデータ伝送率の増加及び減少を遂行するＡＴ中心のデータ伝送率制御（ＡＴ−ｂａｓｅｄ Ｒａｔｅ Ｃｏｎｔｒｏｌ）方法を提供することにある。
本発明の第３目的は、高速データ伝送ＡＮのオーバーロードを効率的に制御することによってシステムの性能及び容量を保証するために、個々のＡＴから現在伝送中のデータの品質及び特性を考慮して逆方向データ伝送制御を遂行する方法を提供することにある。
本発明の第４目的は、個々のＡＴ単位の効率的な帯域幅制御及び動的な帯域幅割り当てのために、高速データ伝送ＡＮのオーバーロードを効率的に制御する方法を提供することにある。
本発明の第５目的は、高速データ伝送システムにおいて、それぞれのデータ伝送率に対するアクセス確率を提供することによって、逆方向パケットデータ伝送を効率的に制御する方法を提供することにある。
本発明の第６目的は、ＡＴから割り当てられたアクセス確率に基づいて逆方向データ伝送率を増加させ、前記割り当てられたアクセス確率によってアクセスを制御する方法を提供することにある。
本発明の第７目的は、高速データ伝送システムにおいて、ＡＴに対する逆方向データ伝送率を２倍以上増加させる方法を提供することにある。
本発明の第８目的は、高速データ伝送率でデータを伝送しようとするＡＮのアクセス確率を制御して前記ＡＮのオーバーロードを効率的に制御する方法を提供することにある。
【００１８】
【課題を解決するための手段】
前記のような本発明の目的は、パケットデータの伝送のための移動通信システムにおける逆方向データ伝送率制御方法を提供することによって達成することができる。
前記のような目的を達成するための本発明の第１側面によって、ＡＴは、初期値で逆方向リンクを形成し、順方向リンクを通してＲＲＬメッセージを受信し、ＲＡＢ無視フィールドを分析し、前記ＲＡＢ無視フィールドの値を貯蔵する。前記ＡＴは、現在のデータ伝送率と前記ＲＲＬメッセージに設定されたデータ伝送率とを比較して逆方向データ伝送率を決定し、前記決定された逆方向データ伝送率でパケットデータを伝送する。前記ＡＴは、前記順方向リンクを通してＲＡＢを受信すると、前記ＲＡＢ無視フィールドの値によって前記逆方向データ伝送率を変更する。
ＡＮは、初期状態において前記ＡＴの種類及びサービスの特性を分析し、順方向ＭＡＣチャネルを通して前記ＡＴに対するＭＡＣｉｎｄｅｘを設定する。前記ＡＮは、所定の逆方向データ伝送率を維持すきである場合、前記ＡＴの種類及び前記サービスの特性によってＲＡＢ無視フィールドを設定し、前記ＲＡＢ無視フィールドを伴うＲＲＬメッセージを組み立て、前記ＲＲＬメッセージを前記ＡＴに伝送する。
本発明の他の側面によると、ＡＴは、初期値で逆方向リンクを形成し、順方向リンクを通してＲＲＬメッセージを受信し、データ伝送率に対するアクセス確率を貯蔵する。前記ＡＴは、現在のデータ伝送率と前記ＲＲＬメッセージに設定されたデータ伝送率とを比較して逆方向データ伝送率を決定し、前記決定された逆方向データ伝送率でパケットデータを伝送する。前記ＡＴは、前記順方向リンクを通してＲＡＢを受信すると、前記アクセス確率によって前記逆方向データ伝送率を変更する。
ＡＮは、初期状態における前記ＡＴの種類及びサービスの特性を分析し、順方向ＭＡＣチャネルを通して前記ＡＴに対するＭＡＣｉｎｄｅｘを設定する。前記ＡＮは、前記ＡＴの種類または前記サービスの特性によって各データ伝送率に対するアクセス確率を生成し、前記アクセス確率を伴うＲＲＬメッセージを組み立て、前記ＲＲＬメッセージを前記ＡＴに伝送する。
【００１９】
【発明の実施の形態】
以下、本発明による好適な一実施形態を添付図面を参照しつつ詳細に説明する。下記説明において、本発明の要旨を明確にするために関連した公知機能または構成に対する具体的な説明は省略する。
以下、本発明の実施形態によって、新しいＨＤＲシステムにおいて逆方向データ伝送率を制御するＡＴの動作、前記逆方向データ伝送率を支援するための新しいＲＲＬメッセージの構造、及び前記逆方向データ伝送率を支援するためのＡＮの動作に関して説明する。
【００２０】
図３は、本発明の実施形態による高速データ伝送システムンにおいて、ＡＮにおける逆方向データ伝送率制御方法を示すフローチャートである。前記逆方向データ伝送率制御方法を遂行するために、表３に示すように既存のＲＲＬメッセージの構造を変更すべきである。
【表３】
2004502330.tif 000005
【００２１】
前記変更されたＲＲＬメッセージは、順方向共通共通チャネルを通して同報通信されるか、または、順方向トラヒックチャネル、つまり、順方向専用チャネルを通して伝送される。前記ＲＲＬメッセージは、２９個のレコードを含む。ＡＴは、対応するレコードを識別するための順方向ＭＡＣｉｎｄｅｘによって自分に割り当てられるデータ伝送率を確認し、前記割り当てられたデータ伝送率に基づいて逆方向データを伝送する。
【００２２】
本発明の実施形態によって、前記ＲＲＬメッセージは、逆方向データ伝送率制御のためにＩｇｎｏｒｅ ＲＡＢフィールドをさらに含む。前述したように、ＡＴは、前記アクティブセット内に存在する少なくとも１つのセクタからのＲＡＢが１である場合、自分の逆方向データ伝送率を半分に減少させるようになっている。前記 Ｉｇｎｏｒｅ ＲＡＢフィールドは、前記データ伝送率の一律的な減少を防止するために使用される。前記 Ｉｇｎｏｒｅ ＲＡＢフィールドが１に設定される場合、前記現在の逆方向データ伝送率は、前記アクティブセット内のセクタからのＲＡＢに関係なく維持される。Ｉｇｎｏｒｅ ＲＡＢは、前記ＲＲＬメッセージに含まれて、それぞれのＡＴに対して設定される。
【００２３】
図３を参照すると、段階２００で、ＡＴは、初期アクセスにおいて９．６ｋｂｐｓのデータ伝送率を維持する。前記ＡＴは、段階２０２で、ＲＲＬメッセージを受信すると、段階２０４で、前記ＲＲＬメッセージ内の前記Ｉｇｎｏｒｅ ＲＡＢフィールドを分析し、可変のＩｇｎｏｒｅ ＲＡＢを前記Ｉｇｎｏｒｅ ＲＡＢの値に設定する。
【００２４】
前記ＡＴは、段階２０６で、前記ＲＲＬメッセージ内に設定されたデータ伝送率と前記現在のデータ伝送率とを比較する。前記現在のデータ伝送率が前記割り当てられたデータ伝送率より小さい場合、つまり、前記ＡＮが自分のデータ伝送率を増加させるようになっている場合、前記ＡＴは、段階２０８で、３２スロットを待機し、段階２１０で、前記割り当てられたデータ伝送率で前記逆方向リンクを通してデータを伝送する。
【００２５】
一方、前記現在のデータ伝送率が前記割り当てられた伝送率より大きい場合、つまり、前記ＡＴが自分のデータ伝送率を低減させるようになっている場合、前記ＡＴは、段階２１２で、すぐに前記データ伝送率を減少させ、段階２１４で、前記逆方向リンクを通して前記割り当てられたデータ伝送率でデータを伝送し、段階２１６で、前記アクティブセット内のセクタからのＲＡＢを監視する。前記ＡＴは、前記アクティブセット内に最大６個のセクタを維持することができる。前記ＡＴに連結された前記アクティブセット内のＡＮは、順方向トラヒックチャネル、逆方向トラヒックチャネル、及び逆方向電力制御チャネルを割り当てる。前記ＡＴは、前記ＡＴに連結されていない前記アクティブセット内のＡＮからは制御チャネルのみを監視する。前記ＡＴは、段階２１８で、前記順方向ＭＡＣチャネル上の少なくとも１つのＲＡＢが１であるか否かを確認する。少なくとも１つのＲＡＢが１である場合、前記ＡＴは、段階２２８で、前記現在のデータ伝送率と１９．２ｋｂｐｓとを比較する。前記現在のデータ伝送率が１９．２ｋｂｐｓより大きいか同一である場合、前記ＡＴは段階２３２に進行し、そうでない場合は、段階２３０に進行する。前記ＡＴは、段階２３０で、前記現在のデータ伝送率を維持する。
【００２６】
段階２３２で、前記ＡＴは、Ｉｇｎｏｒｅ ＲＡＢが１であるか否かを確認する。Ｉｇｎｏｒｅ ＲＡＢが１である場合、前記ＡＴは、段階２３０で、前記現在のデータ伝送率を維持する。Ｉｇｎｏｒｅ ＲＡＢが１でない場合、前記ＡＴは、段階２３４で、前記現在のデータ伝送率を半分に低減する。
【００２７】
前述した逆方向データ伝送率制御手順において、前記ＡＴは、前記現在のデータ伝送率が１９．２ｋｂｐｓより大きいか同一である場合、Ｉｇｎｏｒｅ ＲＡＢの値を反映するＩｇｎｏｒｅ ＲＡＢが１である場合を除いて、前記逆方向データ伝送率を半分に減少させる。この場合、前記現在のデータ伝送率は維持される。一方、前記現在のデータ伝送率が１９．２ｋｂｐｓより小さい場合、前記ＡＴは、前記現在のデータ伝送率を維持する。従って、前記従来の均一のデータ伝送率の低減を防止することができる。
【００２８】
前記アクティブセット内の全てのセクタからのＲＡＢが０に設定される場合、前記ＡＴは、初期アクセスにおいてＲＡＢに関係なく９．６ｋｂｐｓの伝送率が維持されるケースを除いて、データ伝送率を２倍に増加させるようになっている。前記ＡＴは、前記データ伝送率を２倍に増加させることができても、自分の最大の電力を考慮したデータ伝送率を選択すべきである。前記ＡＴは、電力状態の観点から前記データ伝送を増加させることができない場合、前記現在のデータ伝送率を維持する。
【００２９】
図４は、本発明の実施形態によるＡＮにおいて、前記逆方向データ伝送率制御を支援するための制御動作を示すフローチャートである。
図４を参照すると、前記ＡＮは、前記ＡＴが連結要求メッセージ（ｃｏｎｎｅｃｔｉｏｎ ｒｅｑｕｅｓｔ ｍｅｓｓａｇｅ）を伝送する時、段階３００で、前記ＡＴを捕捉し、段階３０２で、前記ＡＴの特性を分析する。前記ＡＮは、段階３０４で、前記ＡＴが伝送しようとするトラヒックの特性を分析する。言い換えると、前記ＡＮは、前記パケットデータサービスが要求する品質の程度に関して確認する。前記ＡＮは、前記ＡＴの応用サービスの特性を考慮してＲＲＬメッセージを伝送する。
【００３０】
前記ＡＮは、段階３０６で、前記ＲＲＬメッセージに前記ＡＴに対するＭＡＣｉｎｄｅｘフィールドを設定する。前述したように、前記ＡＮは、最大２９個のＭＡＣｉｎｄｅｘを付加することができる。
【００３１】
前記ＡＴは、段階３０８で、前記ＡＴ及び前記応用サービスの特性を考慮して、前記ＲＲＬメッセージにＲａｔｅＬｉｍｉｔ及びＩｇｎｏｒｅ ＲＡＢを適した値に設定する。上級のＡＴが高品質のサービスを要求する場合、前記ＡＮは、前記ＡＴが自分のアクティブセット内のセクタからの順方向ＭＡＣチャネル上のＲＡＢに関係なく前記現在の逆方向データ伝送率を維持することができるように、Ｉｇｎｏｒｅ ＲＡＢを１に設定する。前記ＡＮは、段階３１０で、Ｍｅｓｓａｇｅ ＩＤ及びその他の関連メッセージフィールドを利用して、前記ＲＲＬメッセージを組み立てる。前記ＡＮは、段階３１２で、前記ＲＲＬメッセージを順方向制御チャネルを通して同報通信するか、順方向トラヒックチャネルを通して伝送する。前記ＡＮは、前記ＲＲＬメッセージを利用することによって、逆方向データ伝送率を個別的に制御することができる。全てのＩｇｎｏｒｅ ＲＡＢフィールドが０に設定される場合、前記ＲＲＬメッセージは、従来の技術のように一律的な逆方向データ伝送率制御を提供する。Ｉｇｎｏｒｅ ＲＡＢの値によって、一律的で選別的な逆方向データ伝送率制御を提供することができる。本発明において、前記ＲＲＬメッセージにＩｇｎｏｒｅ ＲＡＢを付加しているが、逆方向データ伝送率の不要な減少を防止するために、このフィールドを他のメッセージに挿入することもできる。
【００３２】
図５は、本発明の実施形態によって、前記逆方向データ伝送率制御動作を支援するためのＡＮ装置を示すブロック図である。
図５を参照すると、表３に示す前記ＲＲＬメッセージは、トラヒックチャネルを通して伝送される。従って、エンコーダ（ｅｎｃｏｄｅｒ）４００は、前記ＲＲＬメッセージを有するトラヒック信号及びＤＲＣ（Ｄａｔａ Ｒａｔｅ Ｃｏｎｔｒｏｌ）データをエンコーディング（ｅｎｃｏｄｉｎｇ）する。加算器４０２は、スクランブラ（ｓｃｒａｍｂｌｅｒ）４０４から受信されたスクランブリングされたデータを前記エンコーダ４００から受信された前記エンコーディングされたデータに加算する。逆多重化器（ＤＥＭＵＸ）４０６は、前記加算器４０２の出力を逆多重化する。変調器４０８は、前記逆多重化された信号を変調して、Ｉチャネル信号とＱチャネル信号とに分離して出力する。チャネルインターリーバ（ｃｈａｎｎｅｌ ｉｎｔｅｒｌｅａｖｅｒ）４１０は、Ｉ変調信号及びＱ変調信号をインターリービングする。
【００３３】
反復器４１２は、前記インターリービングされたＩチャネル信号及びＱチャネル信号に対してシンボル穿孔及びブロック反復（ｓｙｍｂｏｌ ｐｕｎｃｔｕｒｅ／ｂｌｏｃｋ ｒｅｐｅａｔ）を遂行する。シンボル逆多重化器４１４は、前記反復器４１２の出力を逆多重化することによって、１６個のＩチャネル及び１６個のＱチャネルを構成する。ウォルシュカバー（Ｗａｌｓｈ ｃｏｖｅｒ）４１６は、それぞれのＩ／Ｑチャネルに対してウォルシュカバーを付加し、ウォルシュチャネル利得制御器（Ｗａｌｓｈ ｃｈａｎｎｅｌ ｇａｉｎ ｃｏｎｔｒｏｌｌｅｒ）４１８は、ウォルシュチャネル利得を前記ウォルシュカバー４１６の出力に付加する。ウォルシュチップレベル加算器（Ｗａｌｓｈ ｃｈｉｐ ｌｅｖｅｌ ｓｕｍｍｅｒ）４２０は、チップレベルで前記ウォルシュチャネル利得制御器４１８の出力を合計する。一方、フレームの開始を示すプリアンブルは、反復器４２２で繰り返され、マッパ（ｍａｐｐｅｒ）４２４でシグナリングマッチング（ｓｉｇｎａｌｉｎｇ ｍａｔｃｈｉｎｇ）のためにマッピングされ、乗算器４２６でウォルシュカバーデータが乗算される。第１時分割多重化器４２８は、前記チップレベル加算器４２０及び前記乗算器４２６の出力を時分割多重化する。第２時分割多重化器４３０は、前記第１時分割多重化器４２８の出力、順方向ＭＡＣチャネルデータ、及びパイロットチャネルデータを時分割多重化し、前記多重化した信号をＩチャネル信号及びＱチャネル信号に分離して出力する。
【００３４】
ＰＮ結合器４４０は、前記Ｉ及びＱチャネル信号をそれぞれショートコード発生器（ｓｈｏｒｔ ｃｏｄｅ ｇｅｎｅｒａｔｏｒ）４４２から生成されたショートコードに加算する。基底帯域フィルタ４４４及び４４６は、前記ＰＮ結合器４４０の出力をフィルタリングし、搬送波結合器４４８及び４５０は、前記フィルタリングされた信号を送信信号に変換する。加算器４５２は、前記搬送波結合器４４８及び４５０の出力を、伝送する前に、加算する。
【００３５】
前述したように、前記ＲＲＬメッセージにＩｇｎｏｒｅ ＲＡＢを挿入することで、ＡＴ内の逆方向データ伝送率の一律的な変化を防止し、それによって、前記ＡＴの特性による逆方向データ伝送が可能になる。
【００３６】
以下、本発明の実施形態によって、新しい高速データ伝送システムにおける逆方向データ伝送率制御のためのＡＴの動作、前記逆方向データ伝送率制御を支援するための新しいＲＲＬメッセージの構造、及び前記逆方向データ伝送率を支援するためのＡＮの動作に関して説明する。
【００３７】
図６は、本発明の他の実施形態による高速データ伝送システムにおける逆方向データ伝送率制御方法を示すフローチャートである。前記逆方向データ伝送率制御方法を遂行するために、表４に示すような情報フィールドは、順方向メッセージに付加されるか、または、新しいメッセージを構成すべきである。表４は、本発明の実施形態によるＲＲＬメッセージを開示しているが、前記情報フィールは、チャネル割り当てメッセージのようなメッセージに付加されることもできる。この場合、ＲＲＬメッセージに適用される動作と同一の動作が前記チャネル割り当てメッセージに適用されて遂行する。
【表４】
2004502330.tif 000006
【００３８】
前記ＲＲＬメッセージは、順方向共通チャネルを通して同報通信されるか、または、各ＡＴにおける順方向トラヒックチャネル、つまり、順方向専用チャネルを通して伝送される。前記ＲＲＬメッセージは、２９個のレコードを含む。ＡＴは、対応するレコードを識別するための順方向ＭＡＣｉｎｄｅｘによって自分に割り当てられるデータ伝送率を確認し、前記割り当てられた伝送率の基づいて逆方向データを伝送する。
【００３９】
本発明の第２実施形態によると、前記ＲＲＬメッセージは、逆方向データ伝送率に対するアクセス確率を計算することのできるアクセスレベルフィールドをさらに含む。前述したように、ＡＴは、前記アクティブセット内の少なくとも１つのセクタからのＲＡＢが１に設定される場合、自分の逆方向データ伝送率を半分に減少させるようになっている。一方、前記アクティブセット内の全てのセクタからのＲＡＢが０に設定される場合、前記ＡＴは、前記ＲＲＬメッセージに設定されたＲａｔｅＬｉｍｉｔの範囲内で、前記逆方向データ伝送率を２倍に増加させるようになっている。
【００４０】
前記データ伝送率を２倍以上増加させるために、表４を参照して、対応するデータ伝送率に対するアクセスレベルを利用してアクセス確率を計算する。ＲａｔｅＬｉｍｉｔが付加される場合、ＲｅｖｅｒｓｅＲａｔｅＩｎｃｌｕｄｅｄは常に１に設定される。ＲａｔｅＬｉｍｉｔが省略される場合は、ＲｅｖｅｒｓｅＲａｔｅＩｎｃｌｕｄｅｄは常に０に設定され、次に、前記アクセスレベルフィールドが付加されない。ＲａｔｅＬｉｍｉｔが４．８ｋｂｐｓを示す場合、ＡｃｃｅｓｓＬｅｖｅｌ４．８ｋｂｐｓのみが付加される。ＲａｔｅＬｉｍｉｔが１９．２ｋｂｐｓを示す場合、ＡｃｃｅｓｓＬｅｖｅｌ４．８ｋｂｐｓ及びＡｃｃｅｓｓＬｅｖｅｌ１９．２ｋｂｐｓが付加される。アクセスレベルフィールドには３ビットが割り当てられる。アクセスレベルは、下記のような整数で表現される。
０ｘ０      １
０ｘ１      ２
０ｘ２      ３
０ｘ３      ４
０ｘ４      ５
０ｘ５      ６
０ｘ６      ７
０ｘ７      ８
【００４１】
表４に示す前記ＲＲＬメッセージは、それぞれのＡＴにアクセスレベルを割り当てるが、表５において、全てのＡＴによって参照できる共通変数として前記アクセスレベルを変更して提供することもできる。この場合、表５に示すように、２９番目のＭＡＣｉｎｄｅｘに対するＲａｔｅＬｉｍｉｔの以後に固定長のアクセスレベルフィールドが来る。しかしながら、表４の前記ＲＲＬメッセージにおいて、ＲａｔｅＬｉｍｉｔによってアクセスレベルの数が変更される。
【表５】
2004502330.tif 000007
【００４２】
前記アクセスレベルフィールドは、常に前記ＲＲＬメッセージに付加される。ＡＴは、自分のＭＡＣｉｎｄｅｘを確認した後、自分のためのＲａｔｅＬｉｍｉｔに対応するアクセスレベルを利用して逆方向データを伝送する。
【００４３】
表４及び表５の前記ＲＲＬメッセージは構造のみが相違するので、図６に示す手順は、両方共に適用される。
【００４４】
図６を参照すると、ＡＴは、段階５０２で、表４または表５に示す情報フィールドを含むＲＲＬメッセージを受信する場合、段階５０４で、前記ＲＲＬメッセージを分析し、変数としてＡｃｃｅｓｓＬｅｖｅｌ及びＲａｔｅＬｉｍｉｔを貯蔵する。
【００４５】
前記ＡＴは、段階５０６で、前記ＲＲＬメッセージに設定された可能の最大のデータ伝送率を前記現在の逆方向データ伝送率と比較する。前記現在のデータ伝送率が前記最大のデータ伝送率より小さい場合、つまり、前記ＡＴが自分のデータ伝送率を増加させるようになっている場合、前記ＡＴは、段階５０８で、３２スロットを待機し、段階５１０で、前記現在のデータ伝送率をリセットし、段階５１４で、前記リセットされたデータ伝送率でデータ伝送を継続する。
【００４６】
一方、前記現在のデータ伝送率が前記最大のデータ伝送率より大きい場合、つまり、前記ＡＴが自分のデータ伝送率を低減するようになっている場合、前記ＡＴは、段階５１２で、前記現在のデータ伝送率をすぐに減少させ、段階５１４で、逆方向リンクを通してパケットデータを伝送する。前記ＡＴは、前記パケット伝送の間に、段階５１６で、順方向ＭＡＣチャネルを監視し、特に、前記順方向ＭＡＣチャネル上のＲＡＢを監視する。前述したように、前記ＡＴは、アクティブセット内に最大６個のセクタを維持することができる。前記ＡＴに連結されたアクティブセット内のＡＮは、順方向トラヒックチャネル、逆方向トラヒックチャネル、及び逆方向電力制御チャネルを割り当てる。前記ＡＴは、自分に連結されていない前記アクティブセット内のＡＮから制御チャネルのみを監視する。前記ＡＴは、段階５１６で、ＲＡＢを監視する間、段階５１８で、メモリに貯蔵された前記現在のデータ伝送率に対するアクセスレベルを利用してアクセス確率Ｐｉを計算し、次に、ランダム計算式によって乱数Ｒを計算する。ここで、
０≦Ｒ＜１
０＜Ｐｉ≦１
であり、アクセス確率Ｐｉは、＜数式１＞によって計算される。
＜数式１＞
Ｐｉ＝１／２（Ｎ−１）
ここで、Ｎは、前記ＲＲＬメッセージ内のＡｃｃｅｓｓＬｅｖｅｌの値である。個々のデータ伝送率に対しては、相違するＮ値が設定される。Ｎの範囲は、１から８であるが、前記範囲は、可能の逆方向データ伝送率によって調整されることができる。
【００４７】
前記ＡＴは、段階５２０で、少なくとも１つのＲＡＢが１に設定されるか否かを検査する。前記ＡＴは、少なくとも１つのＲＡＢが１に設定された場合、段階５２４で、パーシステンステスト（ｐｅｒｓｉｓｔｅｎｃｅ ｔｅｓｔ）、つまり、ＰｉとＲとを比較する過程を遂行する。ＰｉがＲより大きい場合、前記ＡＴは、段階５２６で、前記現在のデータ伝送率を維持する。例えば、ＡＮが前記現在のデータ伝送率を考慮してＮ＝１を前記ＡＴに伝送すると、Ｐｉは１になり、この値は常に＜数式１＞によって計算されたＲより大きい。従って、前記ＡＴに前記データ伝送率を維持するように許容することである。しかしながら、段階５２４で、ＲがＰｉより大きい場合、前記ＡＴは、段階５２８で、前記現在のデータ伝送率を１９．２ｋｂｐｓと比較する。前記現在のデータ伝送率が１９．２ｋｂｐｓより大きいか同一である場合、前記ＡＴは、段階５３０で、前記現在のデータ伝送率を半分に減少させ、段階５３２で、前記減少されたデータ伝送率で逆方向データを伝送する。前記現在のデータ伝送率が１９．２ｋｂｐｓより小さい場合、前記ＡＴは、段階５２６で、前記現在のデータ伝送率を維持する。
【００４８】
段階５２０で、前記アクティブセットに設定された全てのＡＮからのＲＡＢが０である場合、前記過程は段階５３４に進行する。ＲＡＢ＝０である場合、前記既存の高速データ伝送システムは、ＡＴの送信電力及び可能の最大データ伝送率を考慮して、一律的にＡＴの現在のデータ伝送率を２倍に増加させる。しかしながら、前記ＡＴは、本発明における可能の最大データ伝送率の範囲内で現在のデータ伝送率より２倍以上大きいデータ伝送率を選択することができる。
【００４９】
従って、前記ＡＴは、段階５３４で、前記可能の最大データ伝送率及び送信電力を考慮してデータ伝送率を選択する。ここで、データ伝送率は、前記現在のデータ伝送率より２倍以上大きい。前記ＡＴは、段階５３６で、前記選択されたデータ伝送率に対するアクセスレベルを利用してアクセス確率Ｐｉ及び乱数Ｒを計算し、段階５３８で、ＰｉとＲとを比較するパーシステンステスト（ｐｅｒｓｉｓｔｅｎｃｅ ｔｅｓｔ）を遂行する。ＰｉがＲより大きいか同一である場合、前記ＡＴは、段階５４０で、電力限界内で前記選択されたデータ伝送率に前記現在のデータ伝送率を増加させ、段階５３２で、前記選択されたデータ伝送率で逆方向データを伝送する。
【００５０】
一方、段階５３８で、ＲがＰｉより大きい場合、前記ＡＴは、段階５１８で、前記現在のデータ伝送率に関連したアクセスレベルを利用して新しいアクセス確率Ｐｉ及び新しい乱数Ｒを計算する。
【００５１】
前記ＡＮがＮを高速データ伝送率に対する低いアクセス確率に対応する値になるように調節するにつれて、システムオーバーロードが制御され、アクセス混雑が低減されることができる。前記ＡＴが前記現在のデータ伝送率より２倍のデータ伝送率を選択するか、それ以上のデータ伝送率を選択するかは、システム具現上の問題である。前記アクティブセットのセクタからＲＡＢ＝０である場合、前記現在のデータ伝送率を２倍以上増加させることは、前記区間を長くし、アクセス確率を増加させる。これに関連して、前記システムを設計することができる。
【００５２】
ＡＴの前記現在のデータ伝送率を考慮して適したＮ（Ｎ＝１）を伝送すると、一律的なデータ伝送率の減少を防止することができる。つまり、ＡＴに相違するＮを伝送すると、選択的なデータ伝送率の減少を保障する。前記アクティブセットの全てのセクタからのＲＡＢが０である場合、前記現在のデータ伝送率を２倍以上増加させることができる。Ｎを適した値に設定すると、アクセス確率はＮによって変化するので、全体のシステムのオーバーロード制御及び前記現在のデータ伝送率より２倍以上大きいデータ伝送率を保障することができる。データ伝送率は、ＲａｔｅＬｉｍｉｔに設定されたデータ伝送率及び前記ＡＴの最大送信電力を考慮して選択されるべきであることに注意する。電力限界から見て、前記ＡＴが前記データ伝送率を増加させることができない場合、前記現在のデータ伝送率は維持される。
【００５３】
図７は、本発明の第２実施形態によるＡＮにおいて、前記逆方向データ伝送率制御を支援するための動作を示すフローチャートである。
図７を参照すると、前記ＡＴは、ＡＮから連結要求メッセージを受信すると、段階６００で、ＡＴを捕捉し、段階６０２で、前記ＡＴの特性を分析する。前記ＡＮは、段階６０４で、前記ＡＴが伝送しようとするトラヒックの特性を分析する。つまり、前記パケットデータサービスがどれほどの品質を要求するかを確認する。前記ＡＴの特性及び応用サービスの特性を考慮して、前記ＡＮは、ＲＲＬメッセージまたはＡＴ及び応用サービスの特性に関連したパラメータを含むメッセージを生成する。前記ＡＮは、段階６０６で、前記ＲＲＬメッセージを伝送するために、前記ＡＴを指定するＭＡＣｉｎｄｅｘを設定する。前述したように、最大２９個のＭＡＣｉｎｄｅｘが前記ＲＲＬメッセージに含まれることができる。前記ＡＮは、段階６０８で、ＲａｔｅＬｉｍｉｔ及びＡｃｃｅｓｓＬｅｖｅｌを適した値に設定する。ＡｃｃｅｓｓＬｅｖｅｌは、表４または表５に示すように設定されることができる。ＡｃｃｅｓｓＬｅｖｅｌは、個々のデータ伝送率に対して相違するアクセス確率を得るために、下記のような方法で設定されることができる。ＡｃｃｅｓｓＬｅｖｅｌを設定するためには多様な方法を使用することができるが、それはただ前記アクセスレベルフィールドに相違する値を設定することであり、同一の逆方向データ伝送率制御動作が適用される。本発明において、成功条件としては、Ｒ≦Ｐｉが与えられる。前記現在の高速データ伝送システムが４．８／９．６／１９．２／３８．４／７６．８／１５３．６ｋｂｐｓを支援し、１つのデータ伝送率に対して１つのＡｃｃｅｓｓＬｅｖｅｌを割り当てるために少なくとも３ビットが必要であるので、Ｎの範囲が１から８であると仮定する。前述したように、Ｎの範囲は、可能の逆方向データ伝送率によって変更されることができる。本発明によって、Ｎ＝１である場合、＜数式１＞によってＰｉ＝１になる。０≦Ｒ＜１であるので、Ｎ＝１である場合、前記パーシステンステスト（ｐｅｒｓｉｓｔｅｎｃｅ ｔｅｓｔ）は成功する。従って、前記ＡＮが特定のデータ伝送率に対するＡｃｃｅｓｓＬｅｖｅｌを１に設定すると、前記ＡＮが前記特定のデータ伝送率を使用することを許容することを意味する。逆に、Ｎが８であると、Ｐｉは０．００７８１２５であり、前記パーシステンステスト（ｐｅｒｓｉｓｔｅｎｃｅ ｔｅｓｔ）における成功確率が非常に低い。従って、前記ＡＮは、前記システム容量、逆方向リンクロード、及び前記ＡＴの現在のデータ伝送率を考慮して適した値にＮを設定することができる。
【００５４】
前記ＡＮは、ＲａｔｅＬｉｍｉｔ及びＡｃｃｅｓｓＬｅｖｅｌを設定した後、段階６１０で、Ｍｅｓｓａｇｅ ＩＤ及びその他の関連メッセージフィールドを利用して前記ＲＲＬメッセージを組み立てる。前記ＡＮは、段階６１２で、順方向制御チャネルまたはトラヒックチャネルを通して前記ＲＲＬメッセージを同報通信する。前記ＲＲＬメッセージを使用することによって、逆方向データ伝送率を選別的に制御することができ、データ伝送率を２倍以上増加させることができる。
【００５５】
本発明においては、ＡＴのデータ伝送率を制御するために、ＡｃｃｅｓｓＬｅｖｅｌフィールドを前記ＲＲＬメッセージに付加するが、他のメッセージに前記ＡｃｃｅｓｓＬｅｖｅｌを挿入する方法も考えられる。つまり、不要な逆方向データ伝送率の減少を防止し、前記現在のデータ伝送率より２倍以上大きい逆方向データ伝送率を得るために、本発明の構造を前記ＲＲＬメッセージ以外のメッセージに提供することができる。
【００５６】
前記ＲＲＬメッセージは、図７の手順によって、表４または表５の構造で組み立てられ、図５に示す装置で伝送される。
【００５７】
図８は、本発明の第３実施形態によって、高速データ伝送システムにおける逆方向データ伝送率制御動作を示すフローチャートである。図８に示す手順は、図６の５３４乃至５４２を除くと、図６の手順と類似である。段階５２０で、前記アクティブセット内の全てのＡＮからのＲＡＢが０である場合、前記ＡＴは、前記現在の可能の送信電力を考慮して、ＲａｔｅＬｉｍｉｔに割り当てられた最大のデータ伝送率の範囲内で最大のデータ伝送率を選択する。データ伝送率に対するインデックスは、表６に示すようである。
【表６】
2004502330.tif 000008
【００５８】
前記ＡＴは、段階６３４で、電力限界内で前記選択されたデータ伝送率に対するインデックスＫを決定する。前記ＡＴは、段階６３６で、Ｋに対するデータ伝送率に対応するアクセスレベルを利用して、アクセス確率Ｐｉ及び乱数Ｒを計算する。前記ＡＴは、段階６３８で、ＰｉとＲとを比較し、ＰｉがＲより大きいか同一である場合、段階５３２で、Ｋに対応するデータ伝送率で逆方向データを伝送する。ＰｉがＲより小さい場合、前記ＡＴは、段階６４０で、前記現在のデータ伝送率に対応するインデックスと前記選択されたＫとを比較する。Ｋが前記現在のデータ伝送率のインデックスより小さいか同一である場合、前記ＡＴは、前記現在のデータ伝送率を維持し、段階５３２で、前記逆方向データを伝送する。一方、Ｋが前記現在のデータ伝送率のインデックスより大きい場合、前記ＡＴは、段階６４２で、Ｋを１の分だけ減少させ、段階６３６に戻る。現在の高速データ伝送システムは、前記逆方向データ伝送率を少なくとも２倍増加させることを許容するので、前記現在のデータ伝送率より１段階が高いデータ伝送率に対するアクセスレベルが１に設定される場合、前記逆方向データ伝送率の２倍増加は、常に保障される。
【００５９】
データ伝送率は、図８において降順にアクセス確率によって選択されるが、昇順に遂行されることができる。さらに、この場合、前記ＡＴは、自分の電力限界内でデータ伝送率を選択する。または、前記同一のデータ伝送率の反復的な選択を避ける限り、データ伝送率をランダムに選択することができ、前記ＡＴは、データ伝送率の選択において自分の送信電力を考慮する。
【００６０】
一方、前記本発明の詳細な説明では具体的な実施形態を挙げて説明してきたが、本発明の範囲内で様々な変形が可能であるということは勿論である。従って、本発明の範囲は前記実施形態によって限られるべきでなく、特許請求の範囲とそれに均等なものによって定められるべきである。
【００６１】
【発明の効果】
前述してきたように、本発明によると、アクセスレベルを利用してアクセス確率を計算することによってＡＴレベルにおける逆方向データ伝送率制御をすることで、システムの性能及び容量が保障され、システムレベルにおける一律的な逆方向データ伝送率制御に比べて、高速データ伝送率ＡＮのオーバーヘッドが効率的に制御される。さらに、トラヒック特性及びＡＴ特性を考慮して前記逆方向データ伝送率制御を遂行することによって、ＡＴ単位の効率的な帯域幅制御及び動的な帯域幅の割り当てを提供する。
【図面の簡単な説明】
【図１】ＨＤＲシステムにおけるＡＴで、従来の逆方向データ伝送率決定手順を示すフローチャートである。
【図２】ＨＤＲシステムにおいて、アクティブセット内のセクタとＡＴとの間の動作及び割り当てられるチャネルを示す図である。
【図３】本発明の第１実施形態による高速データ伝送システムにおいて、ＡＴにおける逆方向データ伝送率制御動作を示すフローチャートである。
【図４】本発明の第１実施形態による高速データ伝送システムにおいて、ＡＴにおける逆方向データ伝送率制御を支援するための制御動作を示すフローチャートである。
【図５】本発明の実施形態による逆方向データ伝送率制御動作を支援するためのＡＮ装置を示すブロック図である。
【図６】本発明の第２実施形態による高速データ伝送システムにおいて、ＡＴにおける逆方向データ伝送率制御動作を示すフローチャートである。
【図７】本発明の第２実施形態による高速データ伝送システムにおいて、ＡＮにおける逆方向データ伝送率制御を支援するための制御動作を示すフローチャートである。
【図８】本発明の第３実施形態による高速データ伝送システムにおいて、逆方向データ伝送率制御動作を示すフローチャートである。
【符号の説明】
４００　エンコーダ
４０２　加算器
４０４　スクランブラ（ｓｃｒａｍｂｌｅｒ）
４０６  逆多重化器
４０８  変調器
４１０  チャネルインターリーバ
４１２  反復器
４１４  シンボル逆多重化器
４１６  ウォルシュカバー
４１８  ウォルシュチャネル利得制御器
４２０  ウォルシュチップレベル加算器
４２２  反復器
４２４  マッパ（ｍａｐｐｅｒ）
４２６  乗算器
４２８  第１時分割多重化器
４３０  第２時分割多重化器
４４０  ＰＮ結合器
４４２  ショートコード発生器
４４４、４４６  基底帯域フィルタ
４４８、４５０  搬送波結合器
４５２  加算器
【国際公開パンフレット】
2004502330.tif 000009
2004502330.tif 000010
2004502330.tif 000011
2004502330.tif 000012
2004502330.tif 000013
2004502330.tif 000014
2004502330.tif 000015
2004502330.tif 000016
2004502330.tif 000017
2004502330.tif 000018
2004502330.tif 000019
2004502330.tif 000020
2004502330.tif 000021
2004502330.tif 000022
2004502330.tif 000023
2004502330.tif 000024
2004502330.tif 000025
2004502330.tif 000026
2004502330.tif 000027
2004502330.tif 000028
2004502330.tif 000029
2004502330.tif 000030
2004502330.tif 000031
2004502330.tif 000032
2004502330.tif 000033
2004502330.tif 000034
2004502330.tif 000035
2004502330.tif 000036
2004502330.tif 000037
2004502330.tif 000038
2004502330.tif 000039
2004502330.tif 000040
2004502330.tif 000041
【国際調査報告】
2004502330.tif 000042
2004502330.tif 000043